(57)【要約】【課題】管理対象機器に関する種々の詳細情報を容易に確認することが可能な機器管理装置などを提供する。【解決手段】機器管理装置１００は、空調機を示す機器アイコンを含む機器管理画面を表示部１１０に表示させる表示制御部１１５を備える。表示制御部１１５は、さらに、機器管理画面に含まれる機器画像を選択するための、第１操作方法とは異なる第２操作方法での入力が入力部１１１によって受け付けられた場合に、選択された機器アイコンにより示される空調機に関する１つ又は複数の項目の詳細情報を示す詳細画面を機器管理画面に重ねて、表示部１１０に表示させる。第１操作方法には、予め定められた処理の実行が対応付けられている。【選択図】図４
2016018397.tif 000002
【特許請求の範囲】
【請求項１】
１つ又は複数の管理対象機器を示す機器画像を含む機器管理画面を表示手段に表示させる第１表示制御手段と、
前記機器管理画面に含まれる機器画像を選択するための第１操作方法での入力が入力手段によって受け付けられた場合に、前記第１操作方法に対応する処理を実行する処理実行手段と、
前記機器管理画面に含まれる機器画像を選択するための、前記第１操作方法とは異なる第２操作方法での入力が前記入力手段によって受け付けられた場合に、前記選択された機器画像により示される管理対象機器に関する１つ又は複数の項目の詳細情報を示す詳細画面を前記機器管理画面に重ねて、前記表示手段に表示させる第２表示制御手段とを備える機器管理装置。
【請求項２】
前記詳細画面の種類を識別するための詳細画面識別情報に、前記詳細画面に表示される詳細情報の１つ又は複数の項目を関連付けて設定するための項目設定画面を前記表示手段に表示させる第３表示制御手段と、
前記項目設定画面が前記表示手段に表示されている間に前記入力手段によって受け付けられた入力に基づいて、前記詳細画面識別情報と前記１つ又は複数の項目とを関連付けた項目データを作成する項目設定手段と、
前記項目設定手段によって作成された項目データを１つ又は複数記憶する詳細表示記憶手段とを備える
請求項１に記載の機器管理装置。
【請求項３】
前記詳細画面識別情報に前記第２操作方法を関連付けて設定するための表示条件設定画面を前記表示手段に表示させる第４表示制御手段と、
前記表示条件設定画面が前記表示手段に表示されている間に前記入力手段によって受け付けられた入力に基づいて、前記詳細画面識別情報と前記第２操作方法とを関連付けた表示条件データを作成する表示条件設定手段とをさらに備え、
前記詳細表示記憶手段は、前記項目設定手段によって作成された項目データと前記表示条件設定手段によって作成された表示条件データとが共通の前記詳細画面識別情報を含む場合に、前記共通の詳細画面識別情報と、前記共通の詳細画面識別情報に関連付けられた１つ又は複数の項目と、前記共通の詳細画面識別情報に関連付けられた第２操作方法とを含む詳細表示設定データを記憶する
請求項２に記載の機器管理装置。
【請求項４】
前記詳細表示記憶手段は、複数の詳細画面識別情報の各々に関連付けられた、１つ又は複数の項目と第２操作方法とを含む前記詳細表示設定データを記憶する
請求項３に記載の機器管理装置。
【請求項５】
前記管理対象機器は、複数であり、
すべての前記管理対象機器に関する１つ又は複数の項目の詳細情報を含む詳細一覧画面を前記表示手段に表示させる第５表示制御手段をさらに備える
請求項１から４のいずれか１項に記載の機器管理装置。
【請求項６】
前記第１表示制御手段は、前記１つ又は複数の管理対象機器が設置される建物のレイアウト画像に、前記１つ又は複数の管理対象機器が設置される場所に対応する位置に前記機器画像を含めた前記機器管理画面を前記表示手段に表示させる
請求項１から５のいずれか１項に記載の機器管理装置。
【請求項７】
前記管理対象機器は、複数であって、前記管理対象機器の各々が複数の機器グループのいずれかに属しており、
前記機器グループの各々を示すグループ画像を含むグループ管理画面を前記表示手段に表示させる第６表示制御手段をさらに備え、
前記第１表示制御手段は、前記グループ管理画面に含まれるグループ画像を選択するための前記第１操作方法での入力が前記入力手段によって受け付けられた場合に、前記選択されたグループ画像により示される機器グループに属する管理対象機器の前記機器管理画面を前記表示手段に表示させる
請求項１から６のいずれか１項に記載の機器管理装置。
【請求項８】
前記第２表示制御手段は、さらに、前記グループ管理画面に含まれるグループ画像を選択するための前記第２操作方法での入力が前記入力手段によって受け付けられた場合に、前記選択されたグループ画像により示される機器グループに関する前記１つ又は複数の項目の詳細情報を示す詳細画面を前記グループ管理画面に重ねて、前記表示手段に表示させる
請求項７に記載の機器管理装置。
【請求項９】
第１表示制御手段が、１つ又は複数の管理対象機器を示す機器画像を含む機器管理画面を表示手段に表示させ、
処理実行手段が、前記機器管理画面に含まれる機器画像を選択するための第１操作方法での入力が入力手段によって受け付けられた場合に、前記第１操作方法に対応する処理を実行し、
第２表示制御手段が、前記機器管理画面に含まれる機器画像を選択するための、前記第１操作方法とは異なる第２操作方法での入力が前記入力手段によって受け付けられた場合に、前記選択された機器画像により示される管理対象機器に関する１つ又は複数の項目の詳細情報を示す詳細画面を前記機器管理画面に重ねて、前記表示手段に表示させる機器管理方法。
【請求項１０】
１つ又は複数の管理対象機器を示す機器画像を含む機器管理画面を表示する表示手段と、
前記機器管理画面に含まれる機器画像を選択するための第１操作方法での入力が入力手段によって受け付けられた場合に、前記第１操作方法に対応する処理を実行する処理実行手段とを備え、
前記表示手段は、前記機器管理画面に含まれる機器画像を選択するための、前記第１操作方法とは異なる第２操作方法での入力が前記入力手段によって受け付けられた場合に、前記選択された機器画像により示される管理対象機器に関する１つ又は複数の項目の詳細情報を示す詳細画面を前記機器管理画面に重ねて表示する表示装置。
【発明の詳細な説明】
【技術分野】
【０００１】
本発明は、設備機器を管理するための装置、設備機器を管理するための方法、設備機器を管理するための情報を表示する装置に関する。
【背景技術】
【０００２】
空調機などの設備機器を管理するための装置には、管理対象機器をアイコンで表すことによって、複数の管理対象機器の各々を１つの画面に一覧表示するものがある。この種の装置において、画面上で、監視対象機器の各々の運転情報を監視しやすくするための技術が種々提案されている。
【０００３】
例えば、特許文献１には、複数の空調機グループにそれぞれ対応するグループアイコンを、集中コントローラのコントローラ表示部の１つの画面に一括表示させ、空調機グループの運転情報をグループアイコン部分に表示する技術が記載されている。特許文献１に記載の技術では、グループアイコン部分に表示される運転情報の種類が、詳細表示ボタンを押す毎に順次切り替えられる。特許文献１に記載の運転情報の種類は、運転モード（冷房、暖房など）、設定温度（目標温度）などである。
【０００４】
特許文献２には、室内機の状態に応じたアイコンを表示装置に表示させる技術が記載されている。特許文献２に記載の技術によると、アイコンは、室内機が運転状態である場合に赤色で表示され、室内機が停止状態である場合に緑色で表示され、室内機が運転操作受付中又は停止操作受付中の状態である場合に赤色で点滅表示される。
【０００５】
特許文献３には、サブウィンドウにユーザカスタマイズ領域とシステム固定メニュー領域とを設け、ユーザカスタマイズ領域には、ユーザがカスタマイズ可能なフォルダを設ける技術が記載されている。フォルダには、各種の監視画面が登録され、例えばフォルダＦ４をマウスクリックすると、メインウィンドウに４階空調機の監視画面（サマリグラフ）が表示される。
【先行技術文献】
【特許文献】
【０００６】
【特許文献１】国際公開第２０１１／０９９３４６号
【特許文献２】特開２００６−１２５７４０号公報
【特許文献３】特開２００２−１８９５１４号公報
【発明の概要】
【発明が解決しようとする課題】
【０００７】
しかしながら、特許文献１に記載の技術では、ユーザが確認しようとする運転情報の種類によっては、詳細表示ボタンを複数回押して画面を切り替える必要がある。そのため、ユーザが、監視対象機器に関する所望の詳細情報を確認するには、手間が掛かる可能性がある。
【０００８】
特許文献２に記載の技術では、アイコンの表示態様を変化させるので、これによって、複数の種類の情報を表したり、数値情報を表したりすることは、実際には困難であると考えられる。例えば、複数の種類の情報を表すことができたとしても、多くの種類の表示態様を採用する必要があり、視認性を低下させるおそれがあるからである。また例えば、数値情報である目標温度を、アイコンの色、色の濃さ、点滅速度などで表すことができたとしても、表示されたアイコンの色、色の濃さ、点滅速度などが具体的に対応する目標温度を認識することは困難であると考えられるからである。
【０００９】
特許文献３に記載の技術では、ユーザが、監視対象機器に関する所望の詳細情報を確認するには、そのための監視画面へ画面を切り替える必要がある。そのため、ユーザが所望の詳細情報を確認するには、手間が掛かる可能性がある。
【００１０】
本発明は、上述の事情に鑑みてなされたもので、管理対象機器に関する種々の詳細情報を容易に確認することが可能な機器管理装置などを提供することを目的とする。
【課題を解決するための手段】
【００１１】
上記目的を達成するため、本発明に係る機器管理装置は、１つ又は複数の管理対象機器を示す機器画像を含む機器管理画面を表示手段に表示させる第１表示制御手段と、前記機器管理画面に含まれる機器画像を選択するための第１操作方法での入力が入力手段によって受け付けられた場合に、前記第１操作方法に対応する処理を実行する処理実行手段と、前記機器管理画面に含まれる機器画像を選択するための、前記第１操作方法とは異なる第２操作方法での入力が前記入力手段によって受け付けられた場合に、前記選択された機器画像により示される管理対象機器に関する１つ又は複数の項目の詳細情報を示す詳細画面を前記機器管理画面に重ねて、前記表示手段に表示させる第２表示制御手段とを備える。
【発明の効果】
【００１２】
本発明によれば、第１操作方法とは異なる第２操作方法での入力が入力手段によって受け付けられた場合に、選択された機器画像により示される管理対象機器に関する１つ又は複数の項目の詳細情報を示す詳細画面を機器管理画面に重ねて、表示手段に表示させる。これにより、画面を切り替えなくても、詳細情報を確認することができる。また、詳細情報を詳細画面に表示するので、詳細情報を数値、文字などで表すことができる。従って、管理対象機器に関する種々の詳細情報を容易に確認することが可能になる。
【図面の簡単な説明】
【００１３】
【図１】本発明の一実施の形態に係る機器管理装置と空調機とを含むシステム全体の構成を示す図である。
【図２】一実施の形態に係る機器管理画面に重ねて表示される詳細画面の例を示す図である。
【図３】一実施の形態に係る空調機の機能的な構成を示す図である。
【図４】一実施の形態に係る機器管理装置の機能的な構成を示す図である。
【図５】機器データの例を示す図である。
【図６】機器詳細データの例を示す図である。
【図７】詳細表示設定データの例を示す図である。
【図８】一実施の形態に係る表示制御部の機能的な構成の例を示す図である。
【図９】一実施の形態に係る機器管理処理の流れを示すフローチャートである。
【図１０】項目設定画面の例を示す図である。
【図１１】表示条件設定画面の例を示す図である。
【図１２】変形例１に係る表示制御部の機能的な構成を示す図である。
【図１３】詳細一覧画面の例を示す図である。
【図１４】変形例２に係る機器管理画面を示す図である。
【図１５】変形例３に係る表示制御部の機能的な構成を示す図である。
【図１６】グループ管理画面と、それに重ねて表示される詳細画面との例を示す図である。
【図１７】変形例３に係る機器管理画面を示す図である。
【発明を実施するための形態】
【００１４】
以下、本発明の一実施の形態について、図面を参照しつつ説明する。全図を通じて同一の要素には同一の符号を付す。
【００１５】
本発明の一実施の形態に係る機器管理装置１００は、図１に示すように、建物に設置される複数の空調機１０１を管理するための装置である。機器管理装置１００は、有線、無線又はこれらを組み合わせて構築される通信ネットワーク１０２を介して接続されており、空調機１０１の各々と相互に通信する。
【００１６】
なお、本実施の形態に係る空調機１０１は、機器管理装置１００による管理の対象となっている設備機器である管理対象機器の一例であって、管理対象機器は、照明機器などであってもよい。
【００１７】
機器管理装置１００は、図１に示すように、ユーザが空調機１０１を管理するための機器管理画面１０３を表示部１１０に表示させる。機器管理画面１０３は、空調機１０１の各々を示す機器アイコン（機器画像）１０４を含む。また、同図に示す機器管理画面１０３では、機器アイコン１０４に運転又は停止という空調機１０１の各々の運転状況が示されている。このような機器管理画面１０３によって、ユーザは、空調機１０１と空調機１０１の各々の運転状況とを一覧できる。
【００１８】
機器管理装置１００は、機器アイコン１０４を選択するための第１操作方法での入力として、機器管理画面１０３の機器アイコン１０４をタップした場合、その選択された機器アイコン１０４の動作状態を切り替える。
【００１９】
機器管理装置１００は、機器アイコン１０４を選択するための第２操作方法での入力として、機器管理画面１０３の機器アイコン１０４をダブルタップした場合、図２に示すように、その選択された機器アイコン１０４により示される空調機１０１に関する項目の詳細情報を示す詳細画面１０５を、機器管理画面１０３に重ねて表示させる。同図に示す詳細画面１０５は、「ＡＣ１」という名称が付された空調機１０１を示す機器アイコン１０４が選択された例を示す。また、同図に例示する詳細画面によって示される詳細情報の項目は、目標温度、室内温度及び操作回数である。
【００２０】
詳細画面１０５は、機器管理画面１０３より小さい画面であることが望ましい。これによって、ユーザは、機器管理画面１０３を閲覧しつつ詳細情報を確認することができる。
【００２１】
空調機１０１は、機能的な構成を図３に示すように、通信ネットワーク１０２を介して機器管理装置１００と通信するための機器通信部１０６と、機器通信部１０６を介して機器管理装置１００から操作指令を受け取ると、その操作指令に従って空調機１０１の運転状況を制御する制御実行部１０７とを備える。操作指令は、例えば、運転の開始又は停止、動作モード（例えば、冷房、暖房、除湿、送風など）の変更、目標温度の変更などの指令である。
【００２２】
機器通信部１０６は、空調機１０１の運転状況を含む運転情報を制御実行部１０７から取得し、取得した運転情報を機器管理装置１００へ送信する。運転状況には、例えば、空調機１０１が運転を開始又は停止したこと、運転中の動作モード、消費電力量などがある。運転情報には、現在時刻が含まれてもよい。
【００２３】
また、機器通信部１０６は、空調機１０１が空気を調和する空間の環境情報を機器管理装置１００へ送信する。本実施の形態に係る環境情報は、温度を示す。本実施の形態に係る環境情報は、空調機１０１が内蔵する温度センサ（不図示）によって測定され、温度センサから機器通信部１０６により取得される。なお、環境情報は、湿度センサによって測定される湿度を示す情報などであってもよい。
【００２４】
物理的には例えば、機器通信部１０６は、通信ネットワーク１０２に接続される通信インタフェースなどから構成され、制御実行部１０７は、マイコンなどから構成される。
【００２５】
機器管理装置１００は、機能的な構成を図４に示すように、各種のデータを記憶する記憶部１０８と、通信ネットワーク１０２を介して機器管理装置１００と通信するための管理通信部１０９と、各種の画面を表示する表示部１１０と、ユーザの入力操作を受け付けると、その操作に応じた情報を出力する入力部１１１と、入力部１１１への入力操作に応じた処理を実行する処理部を決定する処理決定部１１２と、処理決定部１１２の決定に基づいて、空調機１０１の運転と停止とを切り替えるための処理を実行する処理実行部１１３と、ユーザによる入力部１１１への入力に基づいて、詳細画面１０５の表示に関する設定をする設定部１１４と、表示部１１０を制御する表示制御部１１５とを備える。
【００２６】
記憶部１０８は、例えば、空調機１０１の各々について予め設定される機器データ１１６と、空調機１０１の各々に関する予め定められた項目の詳細情報を示す機器詳細データ１１７と、詳細画面１０５の表示に関して設定された内容を示す詳細表示設定データ１１８とを記憶する。
【００２７】
機器データ１１６では、図５に示すように、空調機１０１を識別するための機器識別情報としての機器アドレスと、空調機１０１の各々に予め付与された名称である機器名称と、空調機１０１が設置された場所である設置場所とが、空調機１０１ごとに関連付けられている。
【００２８】
機器アドレスは、通信ネットワーク１０２における空調機１０１の各々のアドレスである。なお、機器識別情報には、空調機１０１を識別できる任意の情報が採用されてよく、例えば、機器名称が採用されてもよい。
【００２９】
設置場所は、「事務室」、「会議室」、「廊下」などの建物内の区画に予め付与された名称を示す。なお、設置場所には、空調機１０１が設置された場所を識別できる任意の情報が採用されてよく、例えば、建物の基準位置を原点とする座標系での位置が採用されてもよい。また例えば、建物がビルである場合には、設置場所が、ビルのフロア（１階、２階など）と区画の名称とを含んでもよい。
【００３０】
機器詳細データ１１７では、図６に示すように、機器アドレスと、予め定められた項目の各々の詳細情報が、空調機１０１ごとに関連付けられている、本実施の形態では、詳細情報の項目として、目標温度と、室内温度と、消費電力量と、操作回数と、運転時間とが予め定められていることとする。
【００３１】
目標温度は、空調機１０１の各々が運転時に空気を調和する空間の目標とする温度として、ユーザなどにより設定されるものである。室内温度は、空調機１０１の各々が空気を調和する空間の温度である。消費電力量は、空調機１０１の各々が１ヶ月間（例えば各月の１日から末日まで）に消費した電力量である。操作回数は、空調機１０１の各々が１日（例えば、０：００から２４：００まで）に操作された回数である。運転時間は、空調機１０１の各々が１ヶ月間（例えば各月の１日から末日まで）に運転した時間である。
【００３２】
なお、詳細情報の項目は、本実施の形態で例示するものに限られず、適宜定められてよい。また、消費電力量、操作回数、運転時間の各々を測定するための期間には、上述のものに限られず、月単位、週単位、日単位など任意の単位が採用されてよく、その始期又は終期となる日、曜日、時刻などは適宜定められてよい。
【００３３】
詳細表示設定データ１１８は、ユーザなどにより設定される詳細画面１０５の種類を識別するための詳細画面識別情報としての詳細画面ＩＤを複数含む。そして、詳細表示設定データ１１８では、詳細画面ＩＤの各々についてユーザなどにより設定された、第２操作方法としての操作方法と、詳細画面の形態と、詳細情報の１つ又は複数の項目とが関連付けられている。
【００３４】
管理通信部１０９は、詳細後述する処理実行部１１３などによって生成される操作指令を通信ネットワーク１０２を介して空調機１０１へ送信する。
【００３５】
また、管理通信部１０９は、運転情報及び環境情報を、通信ネットワーク１０２を介して空調機１０１から継続的に受信する。管理通信部１０９は、運転情報又は環境情報を受信すると、その送信元である空調機１０１の機器アドレスを含む機器詳細データ１１７を参照する。管理通信部１０９は、受信した運転情報又は環境情報に基づいて、参照した機器詳細データ１１７の内容を更新し、その更新した機器詳細データ１１７を記憶部１０８へ出力する。これにより、記憶部１０８は、機器詳細データ１１７を記憶する。
【００３６】
表示部１１０は、表示制御部１１５の制御の下で、例えば、図１に例示する機器管理画面１０３、図２に例示する詳細画面１０５などを表示する。
【００３７】
入力部１１１は、表示部１１０とともにタッチパネルを構成し、ユーザが画面に応じた位置を操作すると、操作された位置とその操作方法とを含む情報を出力する。
【００３８】
入力部１１１を操作することによって、ユーザは、例えば機器管理画面１０３に含まれる機器アイコン１０４の１つを選択することができる。機器アイコン１０４を選択するための操作方法には、選択する機器アイコン１０４の表示位置の２秒押し、４秒押し、タップ、ダブルタップ、右フリックがある。
【００３９】
例えば、機器アイコン１０４の表示位置の２秒押し又は４秒押しは、それぞれ、選択する機器アイコン１０４の表示位置に２秒間又は４秒間、指などで接触する操作方法である。例えば、機器アイコン１０４のタップは、選択する機器アイコン１０４の表示位置に、予め定められた時間内に１度、指などで接触する操作方法である。例えば、機器アイコン１０４のダブルタップは、選択する機器アイコン１０４の表示位置に、予め定められた時間内に２度、指などで接触する操作方法である。例えば、機器アイコン１０４の右フリックは、選択する機器アイコン１０４の表示位置を右方向へ払うように、指などで接触する操作方法である。
【００４０】
なお、機器アイコン１０４を選択するための操作方法は、本実施の形態で例示するものに限られず、他の操作方法であってもよい。
【００４１】
処理決定部１１２は、ユーザの入力を受け付けた場合に入力部１１１から出力される情報に基づいて、入力操作に応じた処理を実行する処理部を決定する。
【００４２】
例えば機器管理画面１０３が表示部１１０に表示されている間に、機器アイコン１０４の表示位置をタップすることによる入力を示す情報を入力部１１１から取得した場合、処理決定部１１２は、タップに応じた処理を実行する処理部を、処理実行部１１３と決定する。
【００４３】
例えば機器管理画面１０３が表示部１１０に表示されている間に、機器アイコン１０４の表示位置をタップ以外の予め定められた操作方法（本実施の形態では、２秒押し、４秒押し、ダブルタップ又は右フリック）で操作することによる入力を示す情報を入力部１１１から取得した場合、処理決定部１１２は、その操作に応じた処理を実行する処理部を表示制御部１１５と決定する。
【００４４】
処理実行部１１３は、入力部１１１から出力される情報を処理決定部１１２から取得し、タップにより選択された機器アイコン１０４が示す空調機１０１の運転と停止とを切り替える。
【００４５】
すなわち、処理実行部１１３は、選択された機器アイコン１０４が示す空調機１０１が運転中である場合には、管理通信部１０９を介して、その空調機１０１を停止させる操作指令を出力させる。処理実行部１１３は、選択された機器アイコン１０４が示す空調機１０１が停止中である場合には、管理通信部１０９を介して、その空調機１０１を運転させる操作指令を出力させる。
【００４６】
本実施の形態では、第１操作方法としての機器アイコン１０４のタップと、空調機１０１の運転と停止の切り替えとが対応付けられており、この対応付けを示す情報は、ユーザが変更できないように機器管理装置１００の内部で保持されている。
【００４７】
なお、第１操作方法は、ユーザが変更できないように機器管理装置１００の内部で保持された情報によって、特定の処理と対応付けられたものであればよく、タップに限られない。また、第１操作方法に対応付けられる特定の処理は、空調機１０１の運転と停止の切り替えに限られず、例えば、選択された機器アイコン１０４が示す空調機１０１に関する他の画面へ遷移するものであってもよい。
【００４８】
設定部１１４は、図４に示すように、詳細画面に含める詳細情報の項目を設定する項目設定部１１４ａと、詳細画面を表示する条件を設定する表示条件設定部１１４ｂとを有する。
【００４９】
項目設定部１１４ａは、ユーザによる入力部１１１への入力に基づいて、詳細画面に含まれる詳細情報の項目を設定する指示を入力部１１１から取得した場合に、項目設定画面を表示制御部１１５を介して表示部１１０に表示させる。項目設定画面は、詳細後述するように、詳細画面の種類を識別するための詳細画面識別情報としての詳細画面ＩＤと、詳細情報の項目とを関連付けて設定するための画面である。
【００５０】
項目設定部１１４ａは、項目設定画面が表示部１１０に表示されている間の、ユーザによる入力部１１１への入力に基づいて、詳細画面ＩＤと、詳細情報の１つ又は複数の項目とを関連付けた項目データを作成する。項目設定部１１４ａは、作成した項目データを記憶部１０８へ出力する。これにより、記憶部１０８は、詳細表示記憶手段として、項目データを記憶する。本実施の形態では、項目データは、詳細表示設定データ１１８の一部として記憶部１０８に記憶される。
【００５１】
表示条件設定部１１４ｂは、ユーザによる入力部１１１への入力に基づいて、詳細画面を表示する条件を設定する指示を入力部１１１から取得した場合に、表示条件設定画面を表示制御部１１５を介して表示部１１０に表示させる。表示条件設定画面は、詳細後述するように、詳細画面ＩＤと、詳細画面の形態と、２秒押し、４秒押し、ダブルタップ及び右フリックのいずれか１つの操作方法とを関連付けて設定するための画面である。詳細画面の形態は、吹き出し、ポップアップなどであり、これらの形状、色、模様などを含む。
【００５２】
表示条件設定部１１４ｂは、表示条件設定画面が表示部１１０に表示されている間の、ユーザによる入力部１１１への入力に基づいて、詳細画面ＩＤと、形態と、操作方法とを関連付けた表示条件データを作成する。表示条件設定部１１４ｂは、作成した表示条件データを記憶部１０８へ出力する。これにより、記憶部１０８は、詳細表示記憶手段として、表示条件データを記憶する。本実施の形態では、表示条件データは、詳細表示設定データ１１８の一部として記憶部１０８に記憶される。
【００５３】
また本実施の形態では、記憶部１０８は、項目設定部１１４ａによって作成された項目データと表示条件設定部１１４ｂによって作成された表示条件データとが共通の詳細画面ＩＤを含む場合に、共通の詳細画面ＩＤによって項目データと表示条件データとを関連付けた詳細表示設定データ１１８を、詳細表示記憶手段として記憶する。詳細には、詳細表示記憶手段としての記憶部１０８は、共通の詳細画面ＩＤと、項目データにおいて共通の詳細画面ＩＤに関連付けられた１つ又は複数の項目と、表示条件データにおいて共通の詳細画面ＩＤに関連付けられた操作方法とを関連付けた詳細表示設定データ１１８を記憶する。
【００５４】
表示制御部１１５は、表示部１１０に画面を表示させるための画像データを作成して表示部１１０へ出力し、これによって、表示部１１０を制御する。
【００５５】
表示制御部１１５は、例えば図８に示すように、機器管理画面１０３を表示部１１０に表示させる第１表示制御部１１５ａと、詳細画面１０５を機器管理画面１０３に重ねて表示部１１０に表示させる第２表示制御部１１５ｂと、項目設定画面を表示させる第３表示制御部１１５ｃと、表示条件設定画面を表示させる第４表示制御部１１５ｄとを有する。
【００５６】
第１表示制御部１１５ａは、例えば図示しないメニュー画面などの表示中の処理決定部１１２の決定に基づいて、機器管理画面１０３を表示部１１０に表示させる。
【００５７】
詳細には例えば、第１表示制御部１１５ａは、機器管理画面１０３を示す画像データの作成方法を定めたソフトウェアプログラムを自身が保持する。第１表示制御部１１５ａは、処理決定部１１２から指示を受けると、記憶部１０８に記憶された機器データ１１６と、管理通信部１０９を介して取得する空調機１０１の運転と停止とを示す運転情報とに基づいて、機器管理画面１０３を示す画像データを作成し表示部１１０へ出力する。これにより、図１に示すような機器管理画面１０３が表示部１１０に表示される。
【００５８】
第２表示制御部１１５ｂは、機器管理画面１０３が表示されている間の処理決定部１１２の決定に基づいて、ユーザによる入力部１１１への操作方法に応じた詳細画面１０５を表示部１１０に表示させる。
【００５９】
詳細には例えば、第２表示制御部１１５ｂは、入力部１１１から出力された情報を処理決定部１１２を介して取得する。第２表示制御部１１５ｂは、入力部１１１から出力された情報に基づいて、選択された機器アイコン１０４が示す空調機１０１の機器アドレスと、その選択に用いられた操作方法とを特定する。第２表示制御部１１５ｂは、特定した操作方法が詳細表示設定データ１１８に含まれている場合に、その詳細表示設定データ１１８において操作方法に関連付けられた形態と、項目と、項目の並び順とを特定する。
【００６０】
第２表示制御部１１５ｂは、特定した機器アドレスが関連付けられた機器詳細データ１１７を参照し、特定した項目の詳細情報を記憶部１０８から取得する。第２表示制御部１１５ｂは、取得した詳細情報を特定した項目の並び順で含み、かつ、特定した形態を示す画像を、選択された機器アイコン１０４の表示位置に関連する位置に表示させる画像データを生成する。これにより、図２に示すような詳細画面１０５が表示部１１０に表示される。
【００６１】
第３表示制御部１１５ｃは、項目設定部１１４ａの指示に基づいて、項目設定画面を表示部１１０に表示させる。項目設定画面を示す画像データは、例えば、第３表示制御部１１５ｃが保持している。
【００６２】
第４表示制御部１１５ｄは、表示条件設定部１１４ｂの指示に基づいて、表示条件設定画面を表示部１１０に表示させる。表示条件設定画面を示す画像データは、例えば、第４表示制御部１１５ｄが保持している。
【００６３】
物理的には例えば、記憶部１０８は、フラッシュメモリなどから構成される。例えば、管理通信部１０９は、通信ネットワーク１０２に接続される通信インタフェースなどから構成される。例えば、表示部１１０は、液晶パネルなどから構成される。例えば、入力部１１１は、上述のように表示部１１０とともにタッチパネルを構成する。詳細には例えば、入力部１１１は、表示部１１０により表示される画面上に配置され、ユーザなどにより操作された位置と操作方法とを含む情報を出力する透明なシート状の部材などから構成される。例えば、処理決定部１１２、処理実行部１１３、設定部１１４及び表示制御部１１５は、１つ又は複数のマイクロプロセッサ、メモリなどから構成され、それぞれの機能は、マイクロプロセッサがメモリに格納されたプログラムを実行することにより実現される。
【００６４】
なお、入力部１１１は、マウスなどであってもよい。この場合、機器管理画面１０３に含まれる機器アイコン１０４を選択するための操作方法には、例えば、左クリック、マウスオーバ、ダブルクリック、右クリックなどが採用されるとよい。
【００６５】
これまで、本実施の形態に係る機器管理装置１００の構成について説明した。ここから、機器管理装置１００が実行する処理について説明する。
【００６６】
（機器管理処理）
機器管理装置１００は、機器管理画面１０３の表示中の、ユーザによる入力部１１１への入力操作に応じて、図９に示す機器管理処理を実行する。機器管理処理は、例えば、処理決定部１１２がユーザの入力操作に応じた情報を機器管理画面１０３の表示中に入力部１１１から取得すると開始される。
【００６７】
処理決定部１１２は、入力部１１１から取得した情報に基づいて、ユーザの操作方法がタップであるか否かを判断する（ステップＳ１０１）。
【００６８】
ユーザの操作方法がタップであると判断した場合（ステップＳ１０１；ＹＥＳ）、処理決定部１１２は、次の処理を実行する処理部を処理実行部１１３と決定する。処理実行部１１３は、処理決定部１１２による決定に基づいて、操作指令を出力し、これによって、タップで選択された機器アイコン１０４が示す空調機１０１の運転と停止とを切り替える（ステップＳ１０２）。これにより、処理実行部１１３は、機器管理処理を終了する。
【００６９】
ユーザの操作方法がタップではないと判断した場合（ステップＳ１０１；ＮＯ）、処理決定部１１２は、次の処理を実行する処理部を表示制御部１１５と決定し、入力部１１１から取得した情報を表示制御部１１５へ出力する。
【００７０】
表示制御部１１５の第２表示制御部１１５ｂは、処理決定部１１２から出力された情報に含まれる操作方法が、記憶部１０８に記憶された詳細表示設定データ１１８に含まれるものであるか否かを判断する（ステップＳ１０３）。詳細表示設定データ１１８に含まれる操作方法ではないと判断した場合（ステップＳ１０３；ＮＯ）、第２表示制御部１１５ｂは、機器管理処理を終了する。
【００７１】
詳細表示設定データ１１８に含まれる操作方法であると判断した場合（ステップＳ１０３；ＹＥＳ）、第２表示制御部１１５ｂは、処理決定部１１２から出力された情報に含まれる操作方法に、詳細表示設定データ１１８において関連付けられた形態を特定する（ステップＳ１０４）。
【００７２】
第２表示制御部１１５ｂは、処理決定部１１２から出力された情報に含まれる位置と、第１表示制御部１１５ａが表示させた機器管理画面１０３の構成情報とに基づいて、選択された機器アイコン１０４が示す空調機１０１の機器アドレスを特定する。この構成情報は、第１表示制御部１１５ａにより保持される。また、第２表示制御部１１５ｂは、処理決定部１１２から出力された情報に含まれる操作方法に詳細表示設定データ１１８において関連付けられた項目を特定する。第２表示制御部１１５ｂは、特定した機器アドレスに関連付けられた、特定した項目の詳細情報を、記憶部１０８の機器詳細データ１１７から取得する（ステップＳ１０５）。
【００７３】
第２表示制御部１１５ｂは、ステップＳ１０４で特定した形態であり、かつ、ステップＳ１０５にて取得した詳細情報を含む詳細画面１０５を示す画像データを作成する（ステップＳ１０６）。この画像データは、詳細画面１０５の表示位置も含む。
【００７４】
詳細画面１０５の形態が吹き出しである場合、詳細画面１０５は、機器管理画面１０３の前面であって、例えば吹き出しの先端が、選択された機器アイコン１０４に触れる又は重なる位置に配置される。詳細画面１０５の形態が吹き出しである場合、詳細画面１０５は、機器管理画面１０３の前面であって、例えばポップアップの一部が、選択された機器アイコン１０４に触れる又は重なる位置に配置される。このような位置に配置されることによって、選択された機器アイコン１０４と、詳細画面１０５とが関連付けられる。これにより、ユーザは、詳細画面１０５により示される詳細情報がいずれの空調機１０１に関するものであるかを容易に視認することが可能になる。
【００７５】
これにより、第２表示制御部１１５ｂは、機器管理処理を終了する。
【００７６】
このように機器管理処理を実行することによって、特定の処理が関連付けられたタップとは異なる操作方法での入力が入力部１１１によって受け付けられた場合に、選択された機器アイコン１０４により示される空調機１０１に関する１つ又は複数の項目の詳細情報を示す詳細画面１０５を機器管理画面１０３に重ねて、表示部１１０に表示させることができる。これにより、画面を切り替えなくても、詳細情報を確認することができ、また、詳細情報を詳細画面に表示するので、詳細情報を数値、文字などで表すことができる。従って、空調機１０１に関する種々の詳細情報を容易に確認することが可能になる。
【００７７】
（項目設定処理）
項目設定部１１４ａは、ユーザによる入力部１１１への入力操作などに基づいて、詳細画面１０５に含める詳細情報の項目を詳細画面ＩＤごとに設定するための項目設定処理を実行する。項目設定処理は、ユーザによる入力部１１１への入力操作などに基づいて開始される。
【００７８】
項目設定部１１４ａは、図１０に例示する項目設定画面を、第３表示制御部１１５ｃを介して表示部１１０に表示させる。同図に示すように、項目設定画面は、詳細画面ＩＤの入力欄と、項目を選択するための項目リスト欄と、選択された項目の表示順を示す表示パターン欄とを含む。ユーザは、項目設定画面を参照しつつ、入力部１１１を介して、入力欄に詳細画面ＩＤを入力し、項目リスト欄の項目を選択し、表示パターン欄の表示順を指定する。
【００７９】
例えば、詳細画面ＩＤは、ソフトウェアキーボード（不図示）などを用いて、任意の文字列、数字などが入力される。項目リストに表示された各項目の左の四角をタップすることで、項目リストに表示された項目の１つ又は複数が選択される。表示パターンには、項目リストにて選択された項目が示される。表示パターンに示された項目の１つを適宜選択して、表示パターンの下に示された矢印をタップすることによって、選択された項目の表示順が上又は下へ移動する。各欄の内容が決定すると、ユーザは、項目設定画面の右下に表示された確定ボタンをタップする。
【００８０】
これによって、項目設定部１１４ａは、項目設定画面に入力された詳細画面ＩＤと、項目リストで選択された項目と、表示パターン欄に表示された項目の順序とを関連付けた項目データを作成する。項目設定部１１４ａは、作成した項目データを記憶部１０８へ出力する。記憶部１０８は、項目データを詳細表示設定データ１１８の一部として記憶する。これにより、記憶部１０８は、項目設定処理を終了する。
【００８１】
このような項目設定処理を繰り返し実行することによって、記憶部１０８は、図７に示すように複数の項目データを記憶する。すなわち、同図に例示する詳細表示設定データ１１８は、２つの項目データを含む。項目データの一方は、図１０に示す項目設定画面に基づいて作成されるものに対応しており、この項目データでは、詳細画面ＩＤの「詳細画面１」と、項目の表示順の「目標温度」、「室内温度」及び「操作回数」とが関連付けられている。項目データの他方では、詳細画面ＩＤの「詳細画面２」と、項目の表示順の「消費電力量」及び「運転時間」とが関連付けられている。なお、詳細画面ＩＤが同じである詳細表示設定データ１１８が記憶部１０８に記憶されている場合、記憶部１０８は、その詳細表示設定データ１１８を上書きして更新するとよい。
【００８２】
このように、詳細画面１０５で表示する項目をユーザが設定することができる。これにより、項目が多数ある場合であっても、ユーザが確認し易いように、詳細画面１０５の種類を分けて表示させることができる。従って、管理対象機器に関する種々の詳細情報を容易に確認することが可能になる。
【００８３】
（表示条件設定処理）
表示条件設定部１１４ｂは、ユーザによる入力部１１１への入力操作などに基づいて、詳細画面１０５を表示する条件を詳細画面ＩＤごとに設定するための表示条件設定処理を実行する。表示条件設定処理は、ユーザによる入力部１１１への入力操作などに基づいて開始される。
【００８４】
表示条件設定部１１４ｂは、図１１に例示する表示条件設定画面を、第４表示制御部１１５ｄを介して表示部１１０に表示させる。同図に示すように、表示条件設定画面は、詳細画面ＩＤの入力欄と、操作方法を選択するための操作方法欄と、形態を選択するための形態欄とを含む。ユーザは、項目設定画面を参照しつつ、入力部１１１を介して、入力欄に情報を入力し、操作方法欄の操作方法及び形態欄の形態のそれぞれを選択する。
【００８５】
例えば、詳細画面ＩＤは、ソフトウェアキーボード（不図示）などを用いて、任意の文字列、数字などが入力される。操作方法欄には、タップ以外の予め定められた操作方法が、リストで表示されている。操作方法欄に表示された操作方法のいずれかの表示領域をタップすることで、タップした表示領域の操作方法が選択される。形態欄には、予め定められた形態の吹き出し１、吹き出し２、ポップアップ１及びポップアップ２が、リストで表示されている。形態欄に表示された形態の各々の表示領域をタップすることで、タップした表示領域の形態が選択される。各欄の内容が決定すると、ユーザは、表示条件設定画面の右下に表示された確定ボタンをタップする。
【００８６】
これによって、表示条件設定部１１４ｂは、表示条件設定画面に入力された詳細画面ＩＤと、操作方法欄で選択された操作方法と、形態欄に表示された形態とを関連付けた表示条件データを作成する。表示条件設定部１１４ｂは、作成した表示条件データを記憶部１０８へ出力する。記憶部１０８は、表示条件データを詳細表示設定データ１１８の一部として記憶する。これにより、記憶部１０８は、表示条件設定処理を終了する。
【００８７】
このような表示条件設定処理を繰り返し実行することによって、記憶部１０８は、図７に示すように複数の表示条件データを記憶する。すなわち、同図に例示する詳細表示設定データ１１８は、２つの表示条件データを含む。表示条件データの一方は、図１１に示す表示条件設定画面に基づいて作成されるものに対応しており、この表示条件データでは、詳細画面ＩＤの「詳細画面１」と、操作方法の「ダブルタップ」と、形態の「吹き出し１」とが関連付けられている。表示条件データの他方では、詳細画面ＩＤの「詳細画面２」と、操作方法の「２秒押し」と、形態の「ポップアップ１」とが関連付けられている。なお、詳細画面ＩＤが同じである詳細表示設定データ１１８が記憶部１０８に記憶されている場合、記憶部１０８は、その詳細表示設定データ１１８を上書きして更新するとよい。
【００８８】
図７を参照すると分かるように、同図に例示する詳細表示設定データ１１８では、上述の項目データの一方と、上述の表示条件データの一方とが、共通の詳細画面ＩＤである「詳細画面１」によって関連付けられている。また、同図に例示する詳細表示設定データ１１８では、上述の項目データの他方と、上述の表示条件データの他方とが、共通の詳細画面ＩＤである「詳細画面２」によって関連付けられている。
【００８９】
このように、詳細画面１０５を表示する条件をユーザが設定することができる。これにより、詳細画面１０５を表示させるための操作方法を詳細画面１０５の種類ごとにユーザが設定することができる。従って、空調機１０１に関する種々の詳細情報を容易に確認することが可能になる。
【００９０】
また、記憶部１０８は詳細表示設定手段として、複数の詳細画面ＩＤの各々に関連付けられた、１つ又は複数の項目と、第２操作方法としての操作方法とを含む詳細表示設定データ１１８を記憶する。これにより、項目が多数ある場合であっても、ユーザが確認し易いように詳細画面１０５の種類を分け、さらに、詳細画面１０５を表示させるための操作方法を詳細画面１０５の種類ごとにユーザが設定することができる。従って、管理対象機器に関する種々の詳細情報を容易に確認することが可能になる。
【００９１】
以上、本発明の一実施の形態について説明した。しかし、本発明は、上述の実施の形態に限定されるものではなく、以下のように変形されてもよい。また、本発明は、上述の実施の形態と変形例の各々とを任意に組み合わせた形態、さらに、それらの形態に適宜変更を加えたものも含む。
【００９２】
変形例１．
本変形例に係る機器管理装置１００は、実施の形態１に係る表示制御部１１５に代わる表示制御部２１５を備える。表示制御部２１５は、図１２に示すように、第５表示制御部２１５ｅを有する。
【００９３】
第５表示制御部２１５ｅは、予め定められた入力操作がユーザによって入力部１１１へなされた場合に、図１３に例示する詳細一覧画面を表示部１１０に表示させる。
【００９４】
詳細一覧画面は、同図に示すように、すべての空調機１０１に関する複数の項目の詳細情報を含む画面である。第５表示制御部２１５ｅは、記憶部１０８に記憶された機器データ１１６と機器詳細データ１１７とに基づいて、詳細一覧画面を示す画像データを作成し表示部１１０へ出力する。なお、機器詳細データ１１７に１つの項目の詳細情報のみが含まれる場合、詳細一覧画面は、すべての空調機１０１に関する詳細情報が１つの項目の詳細情報を含む画面となる。
【００９５】
本変形例によれば、ユーザは、すべての空調機１０１に関する１つ又は複数の項目の詳細情報を一覧することができる。これにより、ユーザが詳細画面１０５による詳細情報の確認と、詳細一覧画面による詳細情報の確認とを使い分けることができる。従って、空調機１０１に関する種々の詳細情報を容易に確認することが可能になる。
【００９６】
変形例２．
例えば、第１表示制御部１１５ａは、図１４に例示する機器管理画面３０３を表示部１１０に表示させてもよい。機器管理画面３０３は、空調機１０１が設置されるビルなどの建物のレイアウト画像３１９を含み、空調機１０１が設置される場所に対応するレイアウト画像３１９の位置に機器アイコン１０４を含む。
【００９７】
本変形例によれば、機器アイコン１０４が、空調機１０１が設置される建物のレイアウト画像３１９とともに表示される。これにより、ユーザは、機器アイコン１０４が、実際のどの空調機１０１に対応するかを容易に理解することができる。従って、機器管理画面３０３に重ねて詳細画面１０５を表示させることによって、空調機１０１に関する種々の詳細情報を容易に確認することが可能になる。
【００９８】
変形例３．
本変形例に係る機器管理装置１００は、実施の形態１に係る表示制御部１１５に代わる表示制御部４１５を備える。表示制御部４１５は、図１５に示すように、第６表示制御部４１５ｆをさらに有する。また、表示制御部４１５は、実施の形態１に係る第１表示制御部１１５ａ及び第２表示制御部１１５ｂに代わる、第１表示制御部４１５ａ及び第２表示制御部４１５ｂを有する。
【００９９】
第６表示制御部４１５ｆは、予め定められた入力操作がユーザによって入力部１１１へなされた場合に、図１６に例示するグループ管理画面４２０を表示部１１０に表示させる。グループ管理画面４２０は、空調機１０１を各々が設置される区画により複数の機器グループに分けた場合の機器グループを示す、グループ画像としてのグループアイコン４２１を含む。すなわち、本変形例では、「事務室」、「会議室」及び「廊下」のそれぞれが、機器グループを識別するための情報であるグループ識別情報である。そして、グループ識別情報が「事務室」、「会議室」及び「廊下」である機器グループは、それぞれ、事務室、会議室及び廊下に設置される空調機１０１で構成されることとする。なお、機器グループは、空調機１０１の各々が属するものとして適宜定められればよく、空調機１０１の各々が設置される区画でなくてもよい。
【０１００】
第１表示制御部４１５ａは、グループ管理画面４２０に含まれるグループアイコン４２１を選択するための、第１操作方法としてのタップでの入力が入力部１１１によって受け付けられた場合に、図１７に示すように、選択されたグループアイコン４２１により示される機器グループに属する空調機１０１の機器管理画面４０３を表示部１１０に表示させる。同図に示す機器管理画面４０３は、図１６に示すグループ管理画面４２０の「事務室」が付されたグループアイコン４２１をタップで選択した場合に表示部１１０に表示される画面の例である。
【０１０１】
第２表示制御部４１５ｂは、グループ管理画面４２０に含まれるグループ画像を選択するための、第２操作方法としてのダブルタップでの入力が入力部１１１によって受け付けられた場合に、図１６に示すように、選択されたグループアイコン４２１により示される機器グループに関する１つ又は複数の項目の詳細情報を示す詳細画面４０５をグループ管理画面４２０に重ねて、表示部１１０に表示させる。例えば、同図に示す詳細画面４０５は、「事務室」という機器グループに関する詳細情報として、「事務室」という機器グループに属する空調機１０１、すなわち事務室に設置された空調機１０１の詳細情報の平均値を示す。
【０１０２】
なお、例えば詳細情報が値ではない場合、選択された機器グループに属する空調機１０１の詳細情報が、詳細画面４０５に並べて表示されてもよく、予め定められる代表となる空調機１０１の詳細情報が表示されてもよい。
【０１０３】
本変形例では、グループ管理画面４２０を表示するので、多数の空調機１０１を機器グループに分けて管理することができる。従って、多数の空調機１０１の管理を容易にすることが可能になる。
【０１０４】
機器管理画面４０３の表示中には実施の形態で説明したように予め定められた固定の処理（例えば、空調機１０１の運転と停止の切り替えのための処理）の実行が対応付けられた第１操作方法としてのタップが、グループ管理画面４２０の表示中には、機器グループに属する空調機１０１の機器管理画面４０３を表示部１１０に表示させる処理に対応付けられる。これにより、詳細画面４０５を表示させるための操作方法を、実施の形態で説明したように機器管理画面４０３で詳細画面１０５を表示させるための操作方法と同じにすることができる。機器管理画面４０３とグループ管理画面４２０とで操作方法を統一することで、空調機１０１と機器グループとに関する種々の詳細情報を容易に確認することが可能になる。
【０１０５】
また、操作方法に関連付けられた詳細画面４０５に含まれる詳細情報の項目は、実施の形態に係る機器管理画面１０３での操作方法に関連付けられた詳細画面４０５に含まれる詳細情報の項目と同じである。これにより、機器グループに関する詳細情報を示す詳細画面４０５と、個別の空調機１０１に関する詳細情報を示す詳細画面１０５とにおいて、共通の操作方法で入力操作をすることによって共通の項目の詳細情報を確認することができる。これにより、空調機１０１と機器グループとに関する種々の詳細情報を容易に確認することが可能になる。
【０１０６】
変形例４．
例えば、記憶部１０８は、管理通信部１０９によって受信された運転情報の履歴とその送信元である空調機１０１の機器アドレスとを対応付けた機器の動作履歴を示す履歴データ（不図示）をさらに記憶してもよい。消費電力量、操作回数、運転時間などは、表示制御部１１５が、履歴データに基づいて集計して表示部１１０に表示させてもよい。これによっても、実施の形態と同様の効果を奏する。
【０１０７】
変形例５．
本発明は、機器管理装置１００と通信することによって、機器管理画面１０３などの空調機１０１を管理するための画面を表示する表示装置によっても実現することができる。このような表示装置は、例えば、機器管理装置１００との通信機能に加えて、実施の形態に係る記憶部１０８、管理通信部１０９、入力部１１１、処理決定部１１２、処理実行部１１３、表示部１１０、表示制御部１１５及び設定部１１４などの一部と同様の機能を発揮する携帯端末（例えば、スマートホン、タブレット端末など）、コンピュータなどである。これらの機能は、予めインストールされたソフトウェアプログラムを実行することによって発揮されるとよい。これによっても、実施の形態と同様の効果を奏する。
【符号の説明】
【０１０８】
１００  機器管理装置、１０１  空調機、１０３，３０３，４０３  機器管理画面、１０４  機器アイコン、１０５，４０５  詳細画面、１０８  記憶部、１１０  表示部、１１１  入力部、１１２  処理決定部、１１３  処理実行部、１１４  設定部、１１５、２１５、４１５  表示制御部、１１６  機器データ、１１７  機器詳細データ、１１８  詳細表示設定データ、３１９  レイアウト画像、４２０  グループ管理画面、４２１  グループアイコン。
【図１】
2016018397.tif 000003
【図２】
2016018397.tif 000004
【図３】
2016018397.tif 000005
【図４】
2016018397.tif 000006
【図５】
2016018397.tif 000007
【図６】
2016018397.tif 000008
【図７】
2016018397.tif 000009
【図８】
2016018397.tif 000010
【図９】
2016018397.tif 000011
【図１０】
2016018397.tif 000012
【図１１】
2016018397.tif 000013
【図１２】
2016018397.tif 000014
【図１３】
2016018397.tif 000015
【図１４】
2016018397.tif 000016
【図１５】
2016018397.tif 000017
【図１６】
2016018397.tif 000018
【図１７】
2016018397.tif 000019